(57)【特許請求の範囲】
【請求項１】
基板と、この基板の一側にこの基板に沿うように一体的に設けられ、陳列商品説明用の表示片を取外し可能に収納し得る透視可能な第１の表示部と、上記基板の他側にこの基板と直角方向で一体的に設けられ、陳列商品説明用の表示片を取外し可能に収納し得る透視可能な第２の表示部とを備えた商品陳列用表示具。
【請求項２】
第１の表示部が、表示片の落下を防止し得るように表示片収納部の一側端部において閉塞されている請求項１記載の商品陳列用表示具。
【請求項３】
第２の表示部が、基板に対して直角方向に連設された第１の挟持片と、この第１の挟持片における上記基板に対する離隔側端縁で、第１の表示部側とは反対側に位置して上記第１の挟持片との間に表示片収納部の形成するように連設され、上記第１の挟持片と対向する第２の挟持片とを備えた請求項１または２記載の商品陳列用表示具。
【請求項４】
第１の表示部および第２の表示部が基板と共に１枚の透視可能なプラスチック板から折り曲げられて形成された請求項１ないし３のいずれかに記載の商品陳列用表示具。
【発明の詳細な説明】
【０００１】
【発明の属する技術分野】
本発明は、書籍、ＶＨＳビデオカセット、ＤＶＤ、ＣＤなどの各種商品を棚などに陳列する際に、商品の発売元、作者、内容など、所望の商品説明を表示するために用いる商品陳列用表示具に関する。
【０００２】
【従来の技術】
従来、この種の商品陳列用表示具の一例として、起立させた商品の横に位置させて商品と共に棚に収納し、商品および棚より前方へ突出した部分に商品説明を表示した構成が知られている。従来の商品陳列用表示具の他の例として、起立させた商品の下側に位置させて商品と共に棚に収納し、商品および棚より前方で垂下された透視可能な表示部に商品説明用の表示片を取外し可能に挟持させるようにした構成が知られている。
【０００３】
【発明が解決しようとする課題】
しかしながら、上記従来例のいずれかの構成においても、商品説明用の表示部が一側にのみ設けられているため、商品の陳列、表示態様に対応し得るように複数種の商品陳列用表示具を用意する必要があり、管理が煩わしいばかりでなく、商品の陳列、表示態様に応じて陳列用表示具を使い分けなければならず、商品の陳列作業能率に劣る。
【０００４】
本発明の目的は、上記のような従来の問題を解決しようとするものであり、商品の複数種の陳列、表示態様に適応させることができ、したがって、管理の煩わしさを解消することができ、しかも、商品の陳列作業能率を向上させることができるようにした商品陳列用表示具を提供しようとするものである。
【０００５】
【課題を解決するための手段】
上記課題を解決するために本発明の商品陳列用表示具は、基板と、この基板の一側にこの基板に沿うように一体的に設けられ、陳列商品説明用の表示片を取外し可能に収納し得る透視可能な第１の表示部と、上記基板の他側にこの基板と直角方向で一体的に設けられ、陳列商品説明用の表示片を取外し可能に収納し得る透視可能な第２の表示部とを備えたものである。
【０００６】
そして、上記構成において、第１の表示部は、表示片の落下を防止し得るように表示収納部の一側端部を閉塞することができ、また、第２の表示部は、基板に対して直角方向に連設された第１の挟持片と、この第１の挟持片における上記基板に対する離隔側端縁で、第１の表示部側とは反対側に位置して上記第１の挟持片との間に表示収納部を形成するように連設され、上記第１の挟持片と対向する第２の挟持片とを備えることができる。また、第１の表示部および第２の表示部が基板と共に１枚の透視可能なプラスチック板から折り曲げて形成することができる。
【０００７】
上記のように構成された本発明によれば、第１の表示部、若しくは第２の表示部に表示片を収納し、基板を商品の横に位置するようにして棚などに収納し、第１の表示部を商品および棚などの前方へ突出させ、若しくは第２の表示部を商品および棚などの前側で側方へ突出させて第１の表示部、若しくは第２の表示部に収納している表示片により商品の説明を表示することができる。または第２の表示部に表示片を収納し、基板を商品の下側に位置するようにして棚などに収納し、第２の表示部を商品および棚などの前側で下垂、若しくは起立させて第２の表示部に収納している表示片により商品の説明を表示することができる。または第１の表示部に表示片を収納し、基板を商品の下側に位置し、かつ奥側が上方に位置するような傾斜状態で棚などに収納し、第１の表示部を商品の側方へ突出させて第１の表示部に収納している表示片により商品の説明を表示することができる。このように、商品の複数種の陳列、表示態様に適応させることができる。
【０００８】
【発明の実施の形態】
以下、本発明の一実施形態について図面を参照しながら説明する。
図１および図２は本発明の一実施形態に係る商品陳列用表示具を示し、図１は斜視図、図２は図１のII−II矢視拡大断面図、図３ないし図６は同商品陳列用表示具の使用例を示す斜視図である。
【０００９】
図１および図２に示すように、本発明の商品陳列用表示具１は、基板２の一側に第１の表示部３が基板２に沿うように一体的に設けられ、基板２の他側に第２の表示部４が基板２と直角方向で一体的に設けられている。本実施形態においては、基板２、第１の表示部３および第２の表示部４が一枚の透明、若しくは半透明の透視可能なプラスチック、例えば、塩化ビニールから成る板により形成されている。
【００１０】
更に詳しく説明すると、基板２の一側が延長されて第１の挟持片５が形成され、第１の挟持片５の先方が折返し部６により折返すように折曲げられて第１の挟持片５に対向する第２の挟持片７が形成され、第１の挟持片５と第２の挟持片７との間に細長で狭い間隔の表示片収納部８が形成されている。第１の挟持片５と第２の挟持片７の底部側となる一側端部間に閉塞片９が挿入されて溶着、若しくは接着されることにより閉塞され、表示片収納部８の二方が開放されている。表示片収納部８には商品説明用の表示片１０が取外し可能に挿入され、第１の挟持片５と第２の挟持片７とで挟持されるようになっている。このとき、表示片１０は二つ折りされて表示片収納部８に収納されることにより、表示片１０が折目１１から離隔するに至るに従い、次第に拡開しようとして第１の挟持片５と第２の挟持片７の内面に緊密に当接するので、その摩擦抵抗により簡単に離脱するのが防止される。そして、表示片１０の両側で長さ方向に沿って主として縦書きに表示されている発売元、作者、内容などの所望の説明１２を第１の挟持片５側、若しくは第２の挟持片７側から透視することができる。
【００１１】
基板２の他側には第１の挟持片１３が折曲げ部１４により直角方向に折曲げられ、第１の挟持片１３における基板２に対する離隔側で先方が折返し部１４により折返すように折曲げられて第１の挟持片１３に対向する第２の挟持片１５が形成され、第１の挟持片１３と第２の挟持片１５との間に細長で狭い間隔の表示片収納部１６が形成されている。この表示片収納部１６はその三方が開放されている。表示片収納部１６には商品説明用の表示片１７が取外し可能に挿入され、第１の挟持片１３と第２の挟持片１５とで挟持されるようになっている。このとき、表示片１７は上記と同様に二つ折りされて表示片収納部１６に収納されることにより、表示片１７が折目１８から離隔するに至るに従い、次第に拡開しようとして第１の挟持片１３と第２の挟持片１５の内面に緊密に当接するので、その摩擦抵抗により簡単に離脱するのが防止される。そして、表示片１７の両側で長さ方向に沿って主として横書き表示されている発売元、作者、内容などの所望の説明１９を第１の挟持片１３側、若しくは第２の挟持片１５側から透視することができる。
【００１２】
第１の表示部３には、その使用要領によっては表示片１７を収納してもよく、第２の表示部４にも、その使用要領によっては表示片１０を収納してもよい。
【００１３】
そして、基板２における第１の挟持片５と第１の挟持片１３との間の長さａと第１の挟持片５、１３の長辺方向に沿う長さｂとは陳列する商品、例えば、ＤＶＤ２０のサイズに対応するように形成し、第１の表示部３の幅ｃ、第２の表示部４の幅ｄについてはＤＶＤ２０などの表示に邪魔にならない程度で、しかも、ＤＶＤ２０などについて需要者が理解するための説明１２、１９を表示することができる程度の幅に設定する。その一例として、ａを１４０ｍｍ、ｂを２００ｍｍ、ｃを４５ｍｍ、ｄを４５ｍｍに設定する。そして、商品陳列用表示具１は、透明で０．５〜１．０ｍｍ程度の厚さの一枚の塩化ビニール板から折曲げて構成することにより、簡単に製作することができて低コスト化を図ることができる。
【００１４】
以上の構成において、以下、その使用例について説明する。
図３に示す使用例においては、上記のように所望の説明１２を表示した表示片１０を二つ折りにして第１の表示部３の収納部８に収納して第１の挟持片５と第２の挟持片７とにより挟持状態に保持する。そして、基板２をＤＶＤ２０の横に位置するようにして第２の表示部４側から棚２１に収納し、第１の表示部３をＤＶＤ２０および棚２１の前方へ突出させて表示することにより、表示片１０におけるＤＶＤ２０に関する説明１２を第１の表示部３から透視することができる。このとき、上記のように表示片１０は収納部８を構成する第１の挟持片５と第２の挟持片７とで挟持しているので、落下のおそれはないが、収納部８の底部側が閉塞片９により閉塞されているので、表示片１０の落下を更に一層、確実に防止することができる。
【００１５】
図４に示す使用例においては、上記のように所望の説明１２を表示した表示片１０を二つ折りにして第２の表示部４の収納部１６に収納して第１の挟持片１３と第２の挟持片１５とにより挟持状態に保持する。そして、基板２をＤＶＤ２０の横に位置するようにして第１の表示部３側から棚２１に収納し、第２の表示部４をＤＶＤ２０および棚２１の前側で側方へ突出させて表示することにより、表示片１０におけるＤＶＤ２０に関する説明１２を第２の表示部４から透視することができる。このとき、上記のように表示片１０は収納部１６を構成する第１の挟持片１３と第２の挟持片１５とで挟持しているので、落下のおそれはない。
【００１６】
図５に示す使用例においては、上記のように所望の説明１９を表示した表示片１７を二つ折りにして第２の表示部４の収納部１６に収納して第１の挟持片１３と第２の挟持片１５とにより挟持状態に保持する。そして、基板２をＤＶＤ２０の下側に位置するようにして第１の表示部３側から棚２１に収納し、第２の表示部４をＤＶＤ２０および棚２１の前側で下垂させて（若しくは起立させて）表示することにより、表示片１７におけるＤＶＤ２０に関する説明１９を第２の表示部４から透視することができる。このとき、第２の表示部４を下垂させることにより、折返し部１４が下側に位置するので、表示片１７が落下するおそれはなく、また、第２の表示部４を起立させても、上記のように表示片１７は収納部１６を構成する第１の挟持片１３と第２の挟持片１５とで挟持しているので、落下のおそれはない。
【００１７】
図６に示す使用例においては、上記のように所望の説明１２を表示した表示片１０を二つ折りにして第１の表示部３の収納部８に収納して第１の挟持片５と第２の挟持片７とにより挟持状態に保持する。そして、基板２をＤＶＤ２０の下側に位置し、かつ奥側が上方に位置するような傾斜状態で棚２１に収納し（若しくは陳列台上に載せ）、第１の表示部３をＤＶＤ２０の側方へ突出させて表示することにより、表示片１０におけるＤＶＤ２０に関する説明１２を第１の表示部３から透視することができる。このとき、上記のように収納部８の底部側が閉塞片９により閉塞されているので、表示片１０の落下を確実に防止することができる。また、第２の表示部４に表示片１７を収納して表示することもでき、また、第１の表示部３を上記使用例とは逆に鎖線で示すように、ＤＶＤ２０の右側に配置して表示片１０により表示するようにしてもよい。表示部３をＤＶＤ２０の右側に配置することにより、閉塞側が上方に位置しても上記のように表示片１０は第１の挟持片５と第２の挟持片７とで挟持しているので落下のおそれはない。
【００１８】
なお、本発明は上記実施形態に限定されるものではなく、例えば、第１の表示部３、第２の表示部４は基板２と溶着、接着などにより一体化することもでき、また、第１の表示部３の挟持片５と７、第２の表示部４の挟持片１３と１５についても溶着、接着などにより一体化することができる。また、表示片１０、１７は二つ折りにして表示部３、４に収納しなくてもよく、一枚の状態で収納することもできる。このほか、本発明は、その基本的技術思想を逸脱しない範囲で種々設計変更することができる。
【００１９】
【発明の効果】
以上説明したように本発明によれば、第１の表示部、若しくは第２の表示部に表示片を収納し、基板を商品の横に位置するようにして棚などに収納し、第１の表示部を商品および棚などの前方へ突出させ、若しくは第２の表示部を商品および棚などの前側で側方へ突出させて第１の表示部、若しくは第２の表示部に収納している表示片により商品の説明を表示することができる。または第２の表示部に表示片を収納し、基板を商品の下側に位置するようにして棚などに収納し、第２の表示部を商品および棚などの前側で下垂、若しくは起立させて第２の表示部に収納している表示片により商品の説明を表示することができる。または第１の表示部に表示片を収納し、基板を商品の下側に位置し、かつ奥側が上方に位置するような傾斜状態で棚などに収納し、第１の表示部を商品の側方へ突出させて第１の表示部に収納している表示片により商品の説明を表示することができる。このように、商品の複数種の陳列、表示態様に適応させることができる。したがって、管理の煩わしさを解消することができ、しかも、商品の陳列作業能率を向上させることができる。
【図面の簡単な説明】
【図１】本発明の一実施形態に係る商品陳列用表示具を示す斜視図である。
【図２】同商品陳列用表示具を示し、図２のII−II矢視拡大断面図である。
【図３】同商品陳列用表示具の一使用例を示す斜視図である。
【図４】同商品陳列用表示具の他の使用例を示す斜視図である。
【図５】同商品陳列用表示具の他の使用例を示す斜視図である。
【図６】同商品陳列用表示具の更に他の使用例を示す斜視図である。
【符号の説明】
１  商品陳列用表示具
２  基板
３  第１の表示部
４  第２の表示部
５  挟持片
７  挟持片
８  表示片収納部
１０  表示片
１３  挟持片
１５  挟持片
１６  表示片収納部
１７  表示片
２０  ＤＶＤ（商品）
２１  棚
【図１】
0003760301.tif 000002
【図２】
0003760301.tif 000003
【図３】
0003760301.tif 000004
【図４】
0003760301.tif 000005
【図５】
0003760301.tif 000006
【図６】
0003760301.tif 000007